【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
すべてのインターネット(IOE)デバイスにより、情報データをキャプチャするステップと、
前記IOEデバイスからワイヤレス通信デバイスに、グラントレス送信の一環としてアクセスリソースの共通プールから選択された第1のアクセスリソースを使用して前記キャプチャされた情報データのうちのデータの第1のセットを送信するステップと、
前記IOEデバイスにより、チャネル状態に関係付けられたメトリックに基づいて前記キャプチャされた情報データのうちのデータの第2のセットを送信するために、アクセスリソースの前記共通プールから確保されたアクセスプールに切り換えるように決定するステップであって、データの前記第2のセットは、前記キャプチャされた情報データのうちのデータの前記第1のセットに対する残りの情報データを含む、ステップと、
前記IOEデバイスにより、前記決定するステップに基づいて前記キャプチャされた情報データのうちのデータの前記第2のセットを送信するために、前記確保されたアクセスプールから第2のアクセスリソースを供給するよう前記ワイヤレス通信デバイスに要求するステップと、
前記IOEデバイスにより、アクセスリソースの前記共通プールから前記第2のアクセスリソースに切り換えた後、前記確保されたアクセスプールからの前記第2のアクセスリソースを使用して前記ワイヤレス通信デバイスに前記キャプチャされた情報データのうちのデータの前記第2のセットを送信するステップであって、アクセスリソースの前記共通プールは、前記確保されたアクセスプールより小さいアクセスリソースの量を含む、ステップとを備える、方法。
【請求項２】
前記ワイヤレス通信デバイスから、前記第2のアクセスリソースの識別情報を備える肯定応答を受信するステップをさらに備える、請求項1に記載の方法。
【請求項３】
前記IOEデバイスにより、データの前記第1のセットを送信する前記ステップの前に前記第1のアクセスリソースを選択するステップをさらに備え、
前記第1のアクセスリソースは、前記共通プールからランダムに選択される、請求項1に記載の方法。
【請求項４】
前記共通プールおよび前記確保されたアクセスプールのコピーは、前記IOEデバイスのメモリに記憶され、かつ
アクセスリソースの前記共通プールおよび前記確保されたアクセスプールはそれぞれ、スクランブリングコード/アクセス時刻ペアまたはインターリーバ/アクセス時刻ペアの少なくとも1つを備える、請求項1に記載の方法。
【請求項５】
前記要求するステップが、前記第2のアクセスリソースを求める前記要求を識別するためにフラグをデータの前記第1のセットのヘッダにおいて設定するステップをさらに備える、請求項1に記載の方法。
【請求項６】
前記メトリックは、送信メトリックを備え、前記方法は、
前記IOEデバイスによる、データの前記第1のセットの前記送信を開始することに先立って、前記ワイヤレス通信デバイスからのダウンリンクメッセージを解析するためのステップと、
前記IOEデバイスによる、前記ダウンリンクメッセージの前記解析に少なくとも部分的に基づいて、データの前記送信に関する前記送信メトリックを予測するステップと、
前記IOEデバイスによる、前記予測された送信メトリックを閾値と比較して、前記予測される送信メトリックが前記閾値を超えるかどうかを判定するステップとをさらに備える、請求項1に記載の方法。
【請求項７】
前記メトリックは、送信メトリックを備え、前記方法は、
前記IOEデバイスによる、データの前記第1のセットの前記送信中に前記送信メトリックを測定するステップと、
前記IOEデバイスによる、データの前記第1のセットの前記送信中に前記測定された送信メトリックを閾値と比較して、前記測定された送信メトリックが前記閾値を超えるかどうかを判定するステップと、
前記比較に応答して、前記第2のアクセスリソースを供給するよう前記ワイヤレス通信デバイスに求める前記要求をデータの前記第1のセットの一部として含めるステップとをさらに備える、請求項1に記載の方法。
【請求項８】
前記ワイヤレス通信デバイスは、基地局である、請求項1に記載の方法。
【請求項９】
ワイヤレス通信のための方法であって、
第1のワイヤレス通信デバイスによる、アクセスリソースの共通プールを探索して、グラントレス送信の一環としてアクセスリソースの前記共通プールから選択された第1のアクセスリソースを使用してすべてのインターネット(IOE)デバイスによってキャプチャされ、前記IOEデバイスから受信された情報データのうちのデータの第1のセットを復元するステップと、
前記第1のアクセスリソースを使用して、前記第1のワイヤレス通信デバイスにおいて、チャネル状態に関係付けられたメトリックに基づいてデータの前記第1のセットを受信した後、確保されたアクセスプールから選択された第2のアクセスリソースを前記IOEデバイスに供給する前記IOEデバイスからの要求を受信するステップと、
前記確保されたアクセスプールから選択された前記第2のアクセスリソースの識別情報を前記IOEデバイスに送信するステップと、
前記確保されたアクセスプールを探索することなしに、アクセスリソースの前記共通プールから前記確保されたアクセスプールの前記第2のアクセスリソースに切り換えて、前記IOEデバイスからの前記キャプチャされた情報データのうちのデータの第2のセットを復元するステップであって、データの前記第2のセットは、前記キャプチャされた情報データのうちのデータの前記第1のセットに対する残りの情報データを含み、アクセスリソースの前記共通プールは、前記確保されたアクセスプールより小さいアクセスリソースの量を含む、ステップとを備える、方法。
【請求項１０】
利用可能である前記確保されたアクセスプールのアクセスリソースの第1のサブセットと、利用可能でないアクセスリソースの第2のサブセットとを備える前記確保されたアクセスプールを保持するステップと、
前記IOEデバイスからの前記要求の受信に応答して、アクセスリソースの前記第1のサブセットの中から前記第2のアクセスリソースを選択するステップと、
前記第2のアクセスリソースの前記識別情報を、前記要求の肯定応答の一部として送信するためステップとをさらに備える、請求項9に記載の方法。
【請求項１１】
前記要求を受信する前記ステップは、前記要求を、前記IOEデバイスからのデータの前記第1のセットの一部として受信するステップをさらに備える、請求項9に記載の方法。
【請求項１２】
アクセスリソースの前記共通プールおよび前記確保されたアクセスプールはそれぞれ、スクランブリングコード/アクセス時刻ペアまたはインターリーバ/アクセス時刻ペアの少なくとも1つを備える、請求項9に記載の方法。
【請求項１３】
アクセスリソースの前記共通プールおよび前記確保されたアクセスプールに含めるべきアクセスリソースの範囲を決定するステップと、
前記第1のワイヤレス通信デバイスから、アクセスリソースの前記決定された共通プールおよび前記確保されたアクセスプールのコピーを前記IOEデバイスに送信するステップとをさらに備える、請求項9に記載の方法。
【請求項１４】
前記第1のワイヤレス通信デバイスは、基地局であり、前記IOEデバイスは、ユーザ機器である、請求項9に記載の方法。
【請求項１５】
すべてのインターネット(IOE)デバイスであって、
情報データをキャプチャするように構成された、センサと、
プロセッサであって、
ワイヤレス通信デバイスに対するグラントレス送信の一環として前記ワイヤレス通信デバイスに前記キャプチャされた情報データのうちのデータの第1のセットを送信するために、アクセスリソースの共通プールから第1のアクセスリソースを選択することと、
チャネル状態に関係付けられたメトリックに基づいて前記キャプチャされた情報データのうちのデータの第2のセットを送信するために、アクセスリソースの前記共通プールから確保されたアクセスプールに切り換えるように決定することであって、データの前記第2のセットは、前記キャプチャされた情報データのうちのデータの前記第1のセットに対する残りの情報データを含む、ことと、
前記決定に基づいて確保されたアクセスプールから第2のアクセスリソースを供給するよう前記ワイヤレス通信デバイスに要求することと
を行うように構成された、プロセッサと、
トランシーバであって、
前記第1のアクセスリソースを使用して前記ワイヤレス通信デバイスに前記キャプチャされた情報データのうちのデータの第1のセットを送信することであって、データの前記第1のセットは、前記決定に応答して前記第2のアクセスリソースについての前記要求を含む、ことと、
アクセスリソースの前記共通プールから前記第2のアクセスリソースに切り換えた後、前記確保されたアクセスプールからの前記第2のアクセスリソースを使用して前記ワイヤレス通信デバイスに前記キャプチャされた情報データのうちのデータの第2のセットを送信することであって、アクセスリソースの前記共通プールは、前記確保されたアクセスプールより小さいアクセスリソースの量を含む、ことと
を行うように構成された、トランシーバとを備える、IOEデバイス。
【請求項１６】
前記トランシーバは、
前記ワイヤレス通信デバイスから、前記第2のアクセスリソースの識別情報を備える肯定応答を受信することを行うようにさらに構成される、請求項15に記載のIOEデバイス。
【請求項１７】
アクセスリソースの前記共通プールおよび前記確保されたアクセスプールを記憶するように構成されたメモリをさらに備え、
アクセスリソースの前記共通プールおよび前記確保されたアクセスプールはそれぞれ、スクランブリングコード/アクセス時刻ペアまたはインターリーバ/アクセス時刻ペアの少なくとも1つを備える、請求項15に記載のIOEデバイス。
【請求項１８】
前記プロセッサは、前記第1のアクセスリソースを前記共通プールからランダムに選択するようにさらに構成される、請求項15に記載のIOEデバイス。
【請求項１９】
前記プロセッサは、前記第2のアクセスリソースを求める前記要求を識別するフラグをデータの前記第1のセットのヘッダにおいて設定するようにさらに構成される、請求項15に記載のIOEデバイス。
【請求項２０】
前記メトリックは、送信メトリックを備え、かつ前記プロセッサは、
データの前記第1のセットの前記送信を開始することに先立って、前記ワイヤレス通信デバイスからのダウンリンクメッセージを解析することと、
前記ダウンリンクメッセージの前記解析に少なくとも部分的に基づいて、データの前記送信に関する前記送信メトリックを予測することと、
前記予測された送信メトリックを閾値と比較して、前記予測される送信メトリックが前記閾値を超えるかどうかを判定することとを行うようにさらに構成される、請求項15に記載のIOEデバイス。
【請求項２１】
前記メトリックは、送信メトリックを備え、かつ前記プロセッサは、
データの前記第1のセットの前記送信中に前記送信メトリックを測定すること、
データの前記第1のセットの前記送信中に前記測定された送信メトリックを閾値と比較して、前記測定された送信メトリックが前記閾値を超えるかどうかを判定すること、および
前記比較に応答して、前記アクセスリソースに供給するよう前記ワイヤレス通信デバイスに求める前記要求をデータの前記第1のセットの一部として含めることを行うようにさらに構成される、請求項15に記載のIOEデバイス。
【請求項２２】
前記ワイヤレス通信デバイスは、基地局を備える、請求項15に記載のIOEデバイス。
【請求項２３】
第1のワイヤレス通信デバイスであって、
すべてのインターネット(IOE)デバイスによってキャプチャされ、前記IOEデバイスから受信された情報データのうちのデータの第1のセットを受信するように構成されたトランシーバであって、前記キャプチャされた情報データのうちのデータの前記第1のセットは、グラントレス送信の一環としてアクセスリソースの共通プールから選択された第1のアクセスリソースを使用して前記IOEデバイスから送信される、トランシーバと、
アクセスリソースの前記共通プールを探索して、前記IOEデバイスから受信されたデータの前記第1のセットを復元するように構成されたリソースコーディネータであって、
前記トランシーバは、チャネル状態に関係付けられたメトリックに基づいてデータの前記第1のセットを受信した後、確保されたアクセスプールから選択された第2のアクセスリソースを供給する前記IOEデバイスからの要求を受信することと、前記確保されたアクセスプールから選択された前記第2のアクセスリソースの識別情報を前記IOEデバイスに送信することとを行うようにさらに構成される、リソースコーディネータと、
前記確保されたアクセスプールを探索することなしに、前記トランシーバをアクセスリソースの前記共通プールから前記確保されたアクセスプールの前記第2のアクセスリソースに切り換えて、前記IOEデバイスからの前記キャプチャされた情報データのうちのデータの第2のセットを復元するように構成され、データの前記第2のセットは、前記キャプチャされた情報データのうちのデータの前記第1のセットに対する残りの情報データを含み、アクセスリソースの前記共通プールは、前記確保されたアクセスプールより小さいアクセスリソースの量を含むプロセッサとを備える、第1のワイヤレス通信デバイス。
【請求項２４】
前記リソースコーディネータは、
利用可能である前記確保されたアクセスプールのアクセスリソースの第1のサブセットと、利用可能でないアクセスリソースの第2のサブセットとを備える前記確保されたアクセスプールを保持することと、
前記IOEデバイスからの前記要求の受信に応答して、アクセスリソースの前記第1のサブセットの中から前記第2のアクセスリソースを選択することとを行うようにさらに構成され、
前記トランシーバは、前記第2のアクセスリソースの前記識別情報を、前記要求の肯定応答の一部として送信するようにさらに構成される、請求項23に記載の第1のワイヤレス通信デバイス。
【請求項２５】
前記トランシーバは、前記要求を、前記IOEデバイスからのデータの前記第1のセットの一部として受信するようにさらに構成される、請求項23に記載の第1のワイヤレス通信デバイス。
【請求項２６】
アクセスリソースの前記共通プールおよび前記確保されたアクセスプールはそれぞれ、スクランブリングコード/アクセス時刻ペアまたはインターリーバ/アクセス時刻ペアの少なくとも1つを備える、請求項23に記載の第1のワイヤレス通信デバイス。
【請求項２７】
前記プロセッサは、アクセスリソースの前記共通プールおよび前記確保されたアクセスプールに含めるべきアクセスリソースの範囲を決定するようにさらに構成され、かつ
前記トランシーバは、アクセスリソースの前記決定された共通プールおよび前記確保されたアクセスプールを前記IOEデバイスに送信するようにさらに構成される、請求項23に記載の第1のワイヤレス通信デバイス。
【請求項２８】
前記第1のワイヤレス通信デバイスは、基地局を備える、請求項23に記載の第1のワイヤレス通信デバイス。
【請求項２９】
前記メトリックは、送信メトリックを備え、前記方法は、
前記IOEデバイスによる、前記IOEデバイスと前記ワイヤレス通信デバイスとの間の前記送信メトリックを解析するためのステップと、
前記IOEデバイスによる、前記共通プールにおける衝突の確率に基づいて決定される閾値と前記送信メトリックを比較するステップであって、前記決定するステップは、前記比較するステップに基づく、ステップとをさらに備える、請求項1に記載の方法。
【請求項３０】
前記メトリックは、送信メトリックを備え、前記プロセッサは、
前記IOEデバイスと前記ワイヤレス通信デバイスとの間の前記送信メトリックを解析するためのことと、
前記送信メトリックに基づいて前記情報データの送信を完了する予測される持続時間を決定することと、
時間閾値と前記予測される持続時間を比較することであって、アクセスリソースの前記共通プールから前記確保されたアクセスプールに切り換えるように決定することは、前記予測される持続時間が前記時間閾値を超えることに基づく、こととを行うようにさらに構成される、請求項15に記載のIOEデバイス。